(57)【要約】アンテナ特性の劣化を抑制し、放熱性を向上できる無線モジュールとして、一方の面に、複数のアンテナ部及びグランド部が配設された第１基板と、第１基板の一方の面に対向して配設された放熱部材と、を備え、放熱部材は、各アンテナ部が開口する各開口部と、各開口部を区分する仕切り部と、を含み、グランド部は、第１基板と放熱部材との間に配置されている無線モジュールを提供する。
2014196144.tif 000002
【特許請求の範囲】
【請求項１】
一方の面に、複数のアンテナ部及びグランド部が配設された第１基板と、
前記第１基板の前記一方の面に対向して配設された放熱部材と、
を備え、
前記放熱部材は、前記各アンテナ部が開口する各開口部と、前記各開口部を区分する仕切り部と、を含み、
前記グランド部は、前記第１基板と前記放熱部材との間に配置される、
無線モジュール。
【請求項２】
請求項１に記載の無線モジュールであって、
前記仕切り部は、前記アンテナ部と前記開口部との位置関係が各アンテナ部について均等となるように形成された無線モジュール。
【請求項３】
請求項１または２に記載の無線モジュールであって、
前記グランド部は、発熱量が所定量以上の電子部品と熱的に接触する無線モジュール。
【請求項４】
請求項１ないし３のいずれか１項に記載の無線モジュールを用い、
前記放熱部材は、前記無線モジュールが実装される第２基板に熱的に接触する
無線装置。
【請求項５】
請求項４に記載の無線装置であって、
前記放熱部材は、前記無線モジュールと対向する筐体に熱的に接触する無線装置。
【請求項６】
請求項５に記載の無線装置であって、
前記放熱部材と前記グランド部との距離は、所定距離以下である無線装置。
【請求項７】
請求項５に記載の無線装置であって、
前記放熱部材は、
前記筐体に沿って近接配置される第１部分と、
前記開口部を含み前記第１基板側に沿って近接配置される第２部分と、
前記第１部分と前記第２部分とを接続する第３部分と、
を含む無線装置。
【請求項８】
請求項７に記載の無線装置であって、
前記放熱部材の前記第３部分は、前記第２部分が底部となるテーパ面を有する無線装置。
【請求項９】
請求項７または８に記載の無線装置であって、
前記放熱部材の前記第２部分及び前記第３部分は、前記第２部分を基準として、前記第２部分に直交する方向に対して略対称な形状を有する無線装置。
【発明の詳細な説明】
【技術分野】
【０００１】
本開示は、無線モジュール及び無線装置に関する。
【背景技術】
【０００２】
従来、モジュール内の電子部品において発生する熱を逃がすために、放熱部品が設けられたモジュールが知られている（例えば、特許文献１参照）。モジュールの蓋には、電子部品と対向する開口部に、Ｖ字状に折り曲げられた金属片が設けられている。金属片を電子部品の面に接触させ、電子部品からの熱を放射する。
【先行技術文献】
【特許文献】
【０００３】
【特許文献１】特開２０００−２２３６３０号公報
【発明の概要】
【発明が解決しようとする課題】
【０００４】
特許文献１に記載されたモジュールでは、アンテナ特性の劣化を抑制し、放熱性を向上することが困難であった。【０００５】
本開示は、上記事情に鑑みてなされたものであり、アンテナ特性の劣化を抑制し、放熱性を向上できる無線モジュールを提供する。
【課題を解決するための手段】
【０００６】
本開示の無線モジュールは、一方の面に、複数のアンテナ部及びグランド部が配設された第１基板と、第１基板の一方の面に対向して配設された放熱部材と、を備え、放熱部材は、各アンテナ部が開口する各開口部と、各開口部を区分する仕切り部と、を含み、グランド部は、第１基板と放熱部材との間に配置されている。
【発明の効果】
【０００７】
本開示によれば、アンテナ特性の劣化を抑制し、放熱性を向上できる。
【図面の簡単な説明】
【０００８】
【図１】第１の実施形態における無線装置の構造例を示す断面図
【図２】第１の実施形態における無線モジュールの構造例を示す平面図
【図３】第１の実施形態におけるモジュール基板及び放熱部品の形状の一例を示す平面図
【図４】第２の実施形態における無線装置の構造例を示す断面図
【図５】（Ａ）第１変形例における無線モジュールの構造例を示す断面図、（Ｂ）第１変形例における無線モジュールの構造例を示す断面図
【図６】（Ａ）第３変形例における無線モジュールの構造例を示す断面図、（Ｂ）第４変形例における無線モジュールの構造例を示す断面図、（Ｃ）第５変形例における無線モジュールの構造例を示す断面図
【発明を実施するための形態】
【０００９】
以下、本開示の実施形態について、図面を用いて説明する。
【００１０】
（本開示に係る一形態を得るに至った経緯）
特許文献１に記載されたモジュールは、アンテナが実装された無線モジュールではなかった。このため、アンテナが実装された無線モジュールに放熱部品を単に設けた場合、放熱部品によってアンテナ特性が劣化する可能性がある。
【００１１】
以下、アンテナ特性の劣化を抑制し、放熱性を向上できる無線モジュールについて説明する。
【００１２】
（第１の実施形態）
図１は第１の実施形態における無線装置１００の構造例を示す断面図であり、図２に示す無線モジュール１のＡ−Ａ断面図である。
【００１３】
ここで、モジュール基板３の面に平行な面をＸ−Ｙ面とし、図１では、横方向をＸ方向とし、奥行き方向をＹ方向とする。また、モジュール基板の面に対して垂直な方向、つまり、Ｘ−Ｙ面に対して垂直な方向をＺ方向とする。
【００１４】
図２は無線モジュール１の構造例を示す平面図である。図３（Ａ）はモジュール基板３の形状の一例を示す平面図である。図３（Ｂ）は放熱部品５の形状の一例を示す平面図である。
【００１５】
図１に示すように、無線モジュール１は、一方の面にアンテナ１３，１５が実装されたモジュール基板３と、モジュール基板（第１基板）３を覆う放熱部品５と、を含む。無線モジュール１は、筐体７に収容され、セット基板１０に実装される。セット基板１０は、例えば多層基板である。無線モジュール１、セット基板（第２基板）１０、筐体７を含めて無線装置１００が構成される。
【００１６】
モジュール基板３は、例えば矩形の板状に形成され、例えば７層の金属層３ａと、各金属層３ａの間に充填される誘電体層３ｂと、を含む多層基板である。モジュール基板３の最上層には、それぞれ例えば２×２（４個）のパッチアンテナを用いたアンテナ１３，１５（図２参照）が実装（配設）される。
【００１７】
なお、アンテナ１３，１５はモジュール基板３の上面に実装されているが、少なくとも１面に実装されていればよく、例えば下面に実装されてもよい。また、モジュール基板３の最上層には、アンテナ１３，１５と隣接するように、グランド（ＧＮＤ）パターン１１が形成（配設）される。
【００１８】
モジュール基板３の最下層には、ＬＳＩ８，９が、パッド２１ａ〜２１ｄ及びはんだボール２２ａ〜２２ｄを介して実装される。ＬＳＩ８，９とモジュール基板３の下面との間には、パッド２１ａ〜２１ｄ及びはんだボール２２ａ〜２２ｄを覆うように、例えば樹脂が充填されたモールド部２７が形成される。
【００１９】
ＬＳＩ８のＸ方向における位置は、アンテナ１３の位置と例えば略同一である。つまり、ＬＳＩ８とアンテナ１３とは、Ｘ方向において、少なくとも一部が重複する位置に配置されている。ＬＳＩ８は、例えば、マイクロ波の信号を処理する高周波（ＲＦ：Ｒａｄｉｏ  Ｆｒｅｑｕｅｎｃｙ）ＩＣ（Ｉｎｔｅｇｒａｔｅｄ  Ｃｕｒｃｕｉｔ）を含み、マイクロ波の信号は、ＬＳＩ８からアンテナ１３へ伝搬される。アンテナ１３は、各パッチアンテナ１３ａ，１３ｂと配線層３ｄとを接続する各信号ビア１７，１８を介して、ＬＳＩ８と接続される。アンテナ１３は、配線層３ｄとパッド２１ａを接続する信号ビア３６、パッド２１ａ、及びはんだボール２２ａを介して、ＬＳＩ８と接続される。
【００２０】
ＬＳＩ９のＸ方向における位置は、ＧＮＤパターン１１の位置と例えば略同一である。つまり、ＬＳＩ９とＧＮＤパターン１１とは、Ｘ方向において、少なくとも一部が重複する位置に配置されている。ＬＳＩ９は、例えば、ベースバンド信号を処理し、発熱量が所定量以上の電子部品であるベースバンドＩＣを含む。ＧＮＤパターン１１は、ＬＳＩ９のＧＮＤに接続される。ＧＮＤパターン１１は、ＧＮＤビア１９を介して、ＧＮＤ層３ｃと接続し、ＧＮＤ層３ｃは、ＧＮＤビア３３を介して、パッド２１ｃと接続し、パッド２１ｃは、はんだボール２２ｃを介して、ＬＳＩ９のＧＮＤと接続する。
【００２１】
このため、ＬＳＩ９の内部において発生した熱の多くは、はんだボール２２ｃ、パッド２１ｃ、ＧＮＤビア３３、ＧＮＤ層３ｃ、及びＧＮＤビア１９を介して、ＧＮＤパターン１１に伝搬される。
【００２２】
なお、図１では、アンテナ１３を含む図２のＡ−Ａ断面を例示しているが、Ａ−Ａ断面に平行でありアンテナ１５を含む断面の構造についても、図１と同様である。
【００２３】
図３（Ａ）に示すように、モジュール基板３の上面には、前述した、２×２個のパッチアンテナを含むアンテナ１３，１５、及びアンテナ１３，１５と隣接するＧＮＤパターン１１が配置される。
【００２４】
放熱部品５（放熱部材の一例）は、図３（Ｂ）に示すように、例えば矩形の板状に形成されたモジュール基板３を覆う。モジュール基板３の基板面に対向する放熱部品５の面（基板対向面）の面積は、モジュール基板３の基板面の面積より大きい。
【００２５】
また、放熱部品５は、モジュール基板３の上面以外にも、左右面つまりＺ方向に沿う面も覆い、セット基板１０に沿って延びている。従って、セット基板１０と放熱部品５とにより、無線モジュール１全体が包囲される。なお、全体を覆わない場合は、放熱部品５のうち、少なくとも、２辺がセット基板１０に沿って延びていればよい。この場合、放熱部品５は長方形に形成し、短辺において、２辺がセット基板１０に沿って延びていればよい。
【００２６】
放熱部品５の材料としては、熱伝導性の高い、つまり熱抵抗の小さい材料が用いられる。具体的には、例えば金属（例えばベリリウム銅）又はグラファイトが用いられる。放熱部品５は、モジュール基板３に実装された例えばＬＳＩ８，９からの熱を、ＧＮＤパターン１１を介して、セット基板１０に伝搬することで、放熱効果を高めている。
【００２７】
また、放熱部品５の基板対向面５ｅは、ＧＮＤパターン１１の上面と熱的に接触するように、モジュール基板３の上面に固定される。熱的に接触とは、物理的に接続された場合と接続されていない場合の双方を含む。
【００２８】
これにより、ＧＮＤパターン１１を通じて、例えばＬＳＩ９からの熱が放熱部品５に伝わり易くなり、放熱効果が高まる。
【００２９】
なお、放熱部品５とＧＮＤパターン１１を単に熱的に接触させる以外にも、例えば、はんだ付けによって接続してもよく、より熱を伝搬し易くなる。
【００３０】
図２に示すように、放熱部品５の基板対向面５ｅには、２つの開口部５ａ，５ｂが形成される。開口部５ａ，５ｂは、例えば矩形に形成される。開口部５ａ、５ｂによって、アンテナ１３，１５からの電波の放射パターンの劣化を抑制できる。なお、開口部の数は２つに限られない。
【００３１】
また、放熱部品５には、２つのアンテナ１３，１５に対応する開口部５ａと開口部５ｂとを区分する仕切り部５ｃが形成される。仕切り部５ｃによって、Ｘ−Ｙ面において、アンテナ１３の各端部は、開口部５ａの各端部との距離が略均等になり、アンテナ１５の各端部は、開口部５ｂの各端部との距離が略均等になる。即ち、各開口部５ａ，５ｂと各アンテナ１３，１５との位置関係はそれぞれ略同一であり、開口部５ａ，５ｂは、アンテナ１３，１５の例えば上下左右をそれぞれ均等に囲む。これにより、開口部５ａ，５ｂの内側に露出されたアンテナ１３，１５からの放射パターンが乱れることを防止できる。
【００３２】
なお、例えば３×２、４×３のパッチアンテナを有するアンテナの場合、放熱部品５には、例えば正方形でなく長方形の開口部が形成されることにより、同様の効果が得られる。
【００３３】
マイクロ波以上の波長をλとすると、開口部５ａ，５ｂの大きさは、２×２のパッチアンテナの各エレメントからＸ方向及びＹ方向にそれぞれλ／２以上に離間された大きさであることが望ましい。例えば、６０ＧＨｚ帯のミリ波を用いた場合、波長λ＝５ｍｍであるので、パッチアンテナの各エレメントから開口部の端までの距離は、５ｍｍ／２＝２．５ｍｍとなる。
【００３４】
無線モジュール１によれば、モジュール基板３を覆い、ＧＮＤパターン１１と熱的に接触される放熱部品５の基板対向面５ｅに開口部５ａ，５ｂが形成されるので、アンテナ特性の劣化を抑制し、放熱性を向上できる。また、放熱部品５自体により広い面積に熱を分散、伝搬でき、更にセット基板１０に熱を伝搬できる。また、ＧＮＤパターン１１とＬＳＩ９のＧＮＤとが接続されるので、発熱量の多い電子部品において発生する熱を効率良く放熱できる。また、筐体７に開口部を設けることなく、放熱部品５を取り付けるので、モジュール基板３の配線設計に制約が生じない。また、無線モジュール１を小型化、薄型化できるので、無線装置１００の一例としてのモバイル機器に搭載し易くなる。
【００３５】
（第２の実施形態）
第１の実施形態では、放熱部品をセット基板１０に熱的に接触させたが、第２の実施形態では、放熱部品を筐体７に熱的に接触、つまり筐体７を介して放熱させる場合を示す。
【００３６】
図４は第２の実施形態における無線装置１００Ａの構造例を示す断面図である。無線装置１００Ａにおいて、第１の実施形態における無線装置１００と同一の構成要素については同一の符号を付し、その説明を省略又は簡略化する。図４では、セット基板１０の図示を省略している。
【００３７】
無線装置１００Ａは、図１に示した無線装置１００と比較すると、放熱部品５の代わりに放熱部品５Ａを備える。放熱部品５Ａは、モジュール基板３を覆い、モジュール基板３に対向して窪み部（第２部分の一例）５ｇが形成される。窪み部５ｇは、ＧＮＤパターン１１に近接配置され、筐体７側に曲折される。近接配置には、物理的に接触し、又はＧＮＤパターン１１との距離を所定距離以内とすることが含まれる。窪み部５ｇの面には、アンテナ１３，１５と対向する開口部５ａ，５ｂが形成される。
【００３８】
また、放熱部品５Ａの窪み部５ｇを除く他部５ｉ（第１部分の一例）は、筐体７に接触又は接続され、筐体７に熱的に接触する。放熱部品５Ａは、モジュール基板３の下面に実装された電子部品（例えばＬＳＩ８，９）において発生した熱を筐体７に伝搬する。
【００３９】
無線モジュール１Ａによれば、開口部５ａ，５ｂによりアンテナ特性の劣化を抑制し、放熱部品５Ａが筐体７に熱的に接触されるので、放熱部品５Ａから筐体７にも熱を伝搬でき、放熱効率を向上できる。また、筐体７に熱伝導性の良い材料を用いることで、更に放熱効果を高めることもできる。また、ＧＮＤパターン１１に放熱部品５Ａの一部が近接配置されることで、発熱量の多い電子部品（例えばＬＳＩ９）からの熱を、更に効率良く放熱できる。
【００４０】
（変形例）
以下に、無線モジュール１Ａの変形例を６つ示す。変形例では、主に放熱部品の形状が異なる。変形例における無線モジュール１Ｂ〜１Ｆにおいて、無線モジュール１Ａと同様の構成については説明を省略する。
【００４１】
図５（Ａ）は第１変形例の無線モジュール１Ｂの構造例を示す断面図である。図５（Ｂ）は第２変形例の無線モジュール１Ｃの構造例を示す断面図である。なお、図５（Ａ），（Ｂ）において、モジュール基板３の下面に取り付けられた部品（例えばＬＳＩ８，９）、及びセット基板１０は省略されている。
【００４２】
図５（Ａ）では、放熱部品５ＢがＧＮＤパターン１１に近接配置されていない。放熱部品５ＢのＧＮＤパターン１１に対向する部分（第１部分の一例）は、筐体７側に沿って延びている。また、放熱部品５Ｂの開口部５ａ，５ｂが形成された窪み部５ｇ１は、窪み部５ｇ１の底面５ｐ１（第２部分の一例）の中心に対して、対称な形状を有する。また、窪み部５ｇ１における筐体７に連接する壁面５ｈ１（第３部分の一例）は、底面５ｐ１に直交する方向（Ｚ方向）に沿って形成される。
【００４３】
第１変形例によれば、アンテナ１３，１５による電波の放射パターンへの影響を小さくし、放熱できる。
【００４４】
図５（Ｂ）では、放熱部品５ＣがＧＮＤパターン１１に近接配置されていない。放熱部品５ＣのＧＮＤパターン１１に対向する部分は、筐体７側に沿って延びている。また、放熱部品５Ｃの開口部５ａ，５ｂが形成された窪み部５ｇ２は、窪み部５ｇ２の底面５ｐ２の中心に対して、対称な形状を有する。また、窪み部５ｇ２における筐体７に連接する壁面５ｈ２は、底面５ｐ２の端部周辺から放射状に広がるテーパ面を有する。
【００４５】
第２変形例によれば、アンテナ１３，１５による電波の放射パターンの広がりに対応でき、指向性の劣化を抑制でき、アンテナ１３，１５の放射パターンへの影響をより一層小さくできる。
【００４６】
このように、放熱部品５Ｂ，５Ｃが窪み部５ｇ１，５ｇ２を含むことにより、アンテナ１３，１５の放射パターンの劣化を防止し、筐体７への放熱量も確保できる。
【００４７】
図６（Ａ）は第３変形例の無線モジュール１Ｄの構造例を示す断面図である。図６（Ｂ）は第４変形例の無線モジュール１Ｅの構造例を示す断面図である。図６（Ｃ）は第５変形例の無線モジュール１Ｆの構造例を示す断面図である。図６（Ａ）〜（Ｃ）では、モジュール基板３の下面に取り付けられた部品（例えばＬＳＩ８，９）、及びセット基板１０は省略されている。
【００４８】
図６（Ａ）〜（Ｃ）では、無線モジュール１Ｄ〜１Ｆの窪み部５ｇ３〜５ｇ５は、Ｘ−Ｙ面におけるＸ軸正方向、Ｘ軸負方向、Ｙ軸正方向、Ｙ軸負方向の少なくとも一方向において、筐体７と接触しない。例えば、図６（Ａ）〜（Ｃ）では、放熱部品の窪み部の底面５ｇの一部に開口部５ａが形成されるが、開口部５ａのＸ軸負側では、窪み部の壁面は形成されない。また、放熱部品の窪み部よりもＸ軸負側では、放熱部５は筐体７に接続されない。
【００４９】
図６（Ａ）に示す無線モジュール１Ｄでは、図４の無線装置１００Ａに含まれる無線モジュール１Ａと比較すると、放熱部品５Ｄは、開口部５ａ，５ｂよりもＸ軸負側において、アンテナ１３，１５と対向する窪み部５ｇ３の壁面が存在せず、筺体７に接続されない。つまり、放熱部品５Ｄは、Ｘ方向及びＹ方向において、開口部５ａ，５ｂよりもＸ軸正側（ＧＮＤパターン１１側）の部分を有する。
【００５０】
図６（Ｂ）に示す無線モジュール１Ｅでは、図５（Ａ）の無線モジュール１Ｂと比較すると、放熱部品５Ｅは、開口部５ａ，５ｂよりもＸ軸負側において、アンテナ１３，１５と対向する窪み部５ｇ４の壁面が存在せず、筺体７に接続されない。つまり、放熱部品５Ｅは、Ｘ方向及びＹ方向において、開口部５ａ，５ｂよりもＸ軸正側（ＧＮＤパターン１１側）の部分を有する。
【００５１】
図６（Ｃ）に示す無線モジュール１Ｆでは、図５（Ｂ）の無線モジュール１Ｃと比較すると、放熱部品５Ｆは、開口部５ａ，５ｂよりもＸ軸負側において、アンテナ１３，１５と対向する窪み部５ｇ５の壁面が存在せず、筺体７に接続されない。つまり、放熱部品５Ｆは、Ｘ方向及びＹ方向において、開口部５ａ，５ｂよりもＸ軸正側（ＧＮＤパターン１１側）の部分を有する。
【００５２】
このように、開口部５ａ，５ｂよりもＸ軸負側（アンテナ１３，１５側）の一部が省かれた放熱部品５Ｄ〜５Ｆでも、放熱部品５Ｄ〜５Ｆの一部が発熱量の多いＧＮＤパターン１１の上方に位置し、熱的に接触する。従って、ＧＮＤパターン１１の下方に位置する例えばＬＳＩ９から発する熱を効率良く逃がすことができる。また、放熱部品５Ｄ〜５Ｆの材料が低減するので、軽量化又はコストダウンに繋がる。また、実装スペース又は配置位置を加味して放熱部品５Ｄ〜５Ｆを実装できる。
【００５３】
なお、本開示は、上記実施形態の構成に限られるものではなく、請求の範囲において示した機能、または本実施形態の構成が持つ機能が達成できる構成であればどのようなものであっても適用可能である。
【００５４】
例えば、上記実施形態では、筐体７には開口部が形成されていないが、筐体７においても、放熱部品に形成された開口部と対向する位置に開口部を形成してもよい。これにより、放熱効果を更に向上できる。
【００５５】
また、上記実施形態では、放熱部品をＧＮＤパターン１１に接触させる代わりに、熱伝導率の高い材料（例えばマイカ）を挟んで熱的にＧＮＤパターン１１に接触させるようにしてもよい。
【００５６】
また、上記実施形態では、放熱部品は、セット基板１０又は筐体７のいずれか一方に熱的に接触するように取り付けられたが、両方に熱的に接触させてもよい。これにより、放熱効果を更に向上できる。
【００５７】
また、前記第１の実施形態では、放熱部品は、モジュール基板に取り付けられていたが、無線モジュール内の他の基板に取り付けられてもよい。
【００５８】
なお，以上の説明ではアンテナと開口部端の間をλ／２以上離すことで、放射パターンへの影響を抑制する場合について記載したが、アンテナの放射パターンを変更する場合には、アンテナと開口部端の間をλ／２以下としてもよい。
【００５９】
なお、以上の説明では、放熱部品の材料として、金属又はグラファイトを用いて記載したが、例えばＡＢＳ樹脂を用いた誘電体材料であっても同様な効果が得られる。
【００６０】
（本開示の一形態の概要）
本開示の無線モジュールは、一方の面に、複数のアンテナ部及びグランド部が配設された第１基板と、第１基板の一方の面に対向して配設された放熱部材と、を備え、放熱部材は、各アンテナ部が開口する各開口部と、各開口部を区分する仕切り部と、を含み、グランド部は、第１基板と放熱部材との間に配置されている。
【００６１】
本開示の第２の無線モジュールは、第１の無線モジュールであって、
仕切り部は、アンテナ部とアンテナ部に対向する開口部との位置関係が各アンテナ部について略均等となるように形成されている。
【００６２】
本開示の第３の無線モジュールは、第１または第２の無線モジュールであって、
グランド部は、発熱量が所定量以上の電子部品と熱的に接触する。
【００６３】
本開示の第４の無線装置は、第１ないし第３のいずれか１つの無線モジュールを用い、
放熱部材は、無線モジュールが実装される第２基板に熱的に接触する。
【００６４】
本開示の第５の無線装置は、第４の無線装置であって、
放熱部材は、無線モジュールと対向する筐体に熱的に接触する。
【００６５】
本開示の第６の無線装置は、第５の無線装置であって、
放熱部材とグランド部との距離は、所定距離以下である。
【００６６】
本開示の第７の無線装置は、第５の無線装置であって、
放熱部材は、筐体に沿って近接配置される第１部分と、開口部を含み第１基板側に沿って近接配置される第２部分と、第１部分と第２部分とを接続する第３部分と、を含む。
【００６７】
本開示の第８の無線装置は、第７の無線装置であって、
放熱部材の第３部分は、第２部分が底部となるテーパ面を有する。
【００６８】
本開示の第９の無線装置は、第７または第８の無線装置であって、
放熱部材の第２部分及び第３部分は、第２部分を基準として、第２部分に直交する方向に対して略対称な形状を有する。
【００６９】
本出願は、２０１３年６月４日出願の日本特許出願（特願2013-117974）に基づくものであり、その内容はここに参照として取り込まれる。
【産業上の利用可能性】
【００７０】
本開示は、無線モジュールにおいて、アンテナ特性の劣化を抑制し、放熱性を向上でき、有用である。
【符号の説明】
【００７１】
１，１Ａ，１Ｂ，１Ｃ，１Ｄ，１Ｅ，１Ｆ  無線モジュール
３  モジュール基板
３ａ  金属層
３ｂ  誘電体層
３ｃ  ＧＮＤ層
３ｄ  配線層
５，５Ａ，５Ｂ，５Ｃ，５Ｄ，５Ｅ，５Ｆ  放熱部品
５ａ，５ｂ  開口部
５ｃ  仕切り部
５ｅ  基板対向面
５ｉ  他部
５ｇ，５ｇ１，５ｇ２，５ｇ３，５ｇ４，５ｇ５  窪み部
５ｈ１，５ｈ２  窪み部の壁面
５ｐ１，５ｐ２  窪み部の底面
７  筐体
８，９  ＬＳＩ
１０  セット基板
１１  ＧＮＤパターン
１３，１５  アンテナ
１３ａ，１３ｂ  パッチアンテナ
１７，１８，３６  信号ビア
１９，３３  ＧＮＤビア
２１ａ，２１ｂ，２１ｃ，２１ｄ  パッド
２２ａ，２２ｂ，２２ｃ，２２ｄ  はんだボール
２７  モールド部
１００，１００Ａ  無線装置
【図１】
2014196144.tif 000003
【図２】
2014196144.tif 000004
【図３】
2014196144.tif 000005
【図４】
2014196144.tif 000006
【図５】
2014196144.tif 000007
【図６】
2014196144.tif 000008
【国際調査報告】
2014196144.tif 000009
2014196144.tif 000010